(57)【特許請求の範囲】
【請求項１】
電子機器の外筐の少なくとも一部を構成するパネルに形成された開口部を開閉する開閉機構であって、
パネルに回動自在に支持された揺動体と、
上記開口部を開閉し揺動体に互いに回動可能に連結された蓋体とを備え、
上記揺動体は、パネルの内面側に位置されるベース部と、該ベース部から突出されパネルの内面側において該パネルに対する回動支点となる回動支点部と、ベース部から突出され蓋体に回動可能に連結された連結突部とを有し、
上記蓋体は、開口部を開閉する蓋本体部と、該蓋本体部から突出され開口部の内外で出入りされるアーム部と、揺動体のパネルに対する回動時に開口部の開口縁に接触可能とされ該開口縁との接触時にパネルに対する回動支点として機能する支点部とを有し、
上記開口部に対する蓋体の開閉時に、パネルに対する揺動体の回動方向と揺動体に対する蓋体の回動方向とが同じ方向とされ、
蓋体の開放時にアーム部が開口部の外側に突出され、
蓋体の閉塞時にアーム部が開口部の内側に収納されるようにした
ことを特徴とする開閉機構。
【請求項２】
上記蓋体のアーム部を上記支点部として用いた
ことを特徴とする請求項１に記載の開閉機構。
【請求項３】
蓋体の開放時にアーム部を開口部の外側へ突出させる方向へ揺動体を回動させる付勢バネを設けた
ことを特徴とする請求項１に記載の開閉機構。
【請求項４】
開口部を閉塞する位置に蓋体を保持する閉塞状態保持手段を設けた
ことを特徴とする請求項１に記載の開閉機構。
【請求項５】
蓋体の開放時に上記揺動体がパネルに対して回動されたときに、揺動体の回動を規制し該揺動体を蓋体に接触しない位置に保持するようにした
ことを特徴とする請求項１に記載の開閉機構。
【請求項６】
少なくとも一つのパネルによって構成された外筐を有し該外筐に開口部が形成された電子機器であって、
パネルに回動自在に支持された揺動体と、
上記開口部を開閉し揺動体に互いに回動可能に連結された蓋体とを備え、
上記揺動体は、パネルの内面側に位置されるベース部と、該ベース部から突出されパネルの内面側において該パネルに対する回動支点となる回動支点部と、ベース部から突出され蓋体に回動可能に連結された連結突部とを有し、
上記蓋体は、開口部を開閉する蓋本体部と、該蓋本体部から突出され開口部の内外で出入りされるアーム部と、揺動体のパネルに対する回動時に開口部の開口縁に接触可能とされ該開口縁との接触時にパネルに対する回動支点として機能する支点部とを有し、
上記開口部に対する蓋体の開閉時に、パネルに対する揺動体の回動方向と揺動体に対する蓋体の回動方向とが同じ方向とされ、
蓋体の開放時にアーム部が開口部の外側に突出され、
蓋体の閉塞時にアーム部が開口部の内側に収納されるようにした
ことを特徴とする電子機器。
【発明の詳細な説明】
【技術分野】
【０００１】
本発明は開閉機構及び電子機器に関する。詳しくは、電子機器の外筐を構成するパネルに対して回動可能な揺動体と該揺動体に対して回動可能な蓋体とを設けて、簡易な機構により蓋体の大きな開放角度を確保する技術分野に関する。
【背景技術】
【０００２】
電子機器の外筐には所定の機能を確保するための開口部が形成されているものがある。
【０００３】
例えば、印画紙や印画フィルム等の印画シートに熱転写やレーザー等により印画するプリンターには、印画シートや印画用のインクリボン等を外筐内に設けられた装着部に装着するための開口部が形成され、この開口部が外筐に対して回動可能な蓋体によって開閉されるようにされたものがある。このようなプリンターにおいては、印画シートやインクリボン等の装着作業に際し蓋体が作業の邪魔とならないようにして良好な作業性を確保するために、蓋体の外筐に対する開放角度を大きくする必要がある。
【０００４】
蓋体の外筐に対する開放角度を大きくする手段として、初めに、蓋体を直線的に引き出し、次いで、蓋体を回動させて開放するようにした電子機器がある（例えば、特許文献１参照）。
【０００５】
【特許文献１】特許３５２８１２２号公報
【発明の開示】
【発明が解決しようとする課題】
【０００６】
ところが、特許文献１に記載された従来の電子機器にあっては、蓋体の外筐に対する開放角度を大きくする手段として、蓋体を直線的に引き出すことができるスライド機構と蓋体を回動させる回動機構の２つの機構が必要となり、機構の複雑化や部品点数の増大を来たすと言う問題がある。
【０００７】
また、蓋体の開放動作も、蓋体を直線的に引き出す動作と蓋体を回動させる動作の２段階の動作が必要となり、開放動作が煩雑であるという不都合もある。
【０００８】
そこで、本発明開閉機構及び電子機器は、上記した問題点を克服し、簡易な機構により蓋体の大きな開放角度を確保することを課題とする。
【課題を解決するための手段】
【０００９】
本発明開閉機構及び電子機器は、上記した課題を解決するために、パネルに回動自在に支持された揺動体と、上記開口部を開閉し揺動体に互いに回動可能に連結された蓋体とを設け、上記揺動体に、パネルの内面側に位置されるベース部と、該ベース部から突出されパネルの内面側において該パネルに対する回動支点となる回動支点部と、ベース部から突出され蓋体に回動可能に連結された連結突部とを設け、上記蓋体に、開口部を開閉する蓋本体部と、該蓋本体部から突出され開口部の内外で出入りされるアーム部と、揺動体のパネルに対する回動時に開口部の開口縁に接触可能とされ該開口縁との接触時にパネルに対する回動支点として機能する支点部とを設け、上記開口部に対する蓋体の開閉時に、パネルに対する揺動体の回動方向と揺動体に対する蓋体の回動方向とを同じ方向にし、蓋体の開放時にアーム部を開口部の外側に突出させ、蓋体の閉塞時にアーム部を開口部の内側に収納するようにしたものである。
【００１０】
従って、本発明開閉機構及び電子機器にあっては、揺動体のパネルに対する回動動作と揺動体に対する蓋体の回動動作が連続して又は同時に行われて開口部が開放される。
【発明の効果】
【００１１】
本発明開閉機構は、電子機器の外筐の少なくとも一部を構成するパネルに形成された開口部を開閉する開閉機構であって、パネルに回動自在に支持された揺動体と、上記開口部を開閉し揺動体に互いに回動可能に連結された蓋体とを備え、上記揺動体は、パネルの内面側に位置されるベース部と、該ベース部から突出されパネルの内面側において該パネルに対する回動支点となる回動支点部と、ベース部から突出され蓋体に回動可能に連結された連結突部とを有し、上記蓋体は、開口部を開閉する蓋本体部と、該蓋本体部から突出され開口部の内外で出入りされるアーム部と、揺動体のパネルに対する回動時に開口部の開口縁に接触可能とされ該開口縁との接触時にパネルに対する回動支点として機能する支点部とを有し、上記開口部に対する蓋体の開閉時に、パネルに対する揺動体の回動方向と揺動体に対する蓋体の回動方向とが同じ方向とされ、蓋体の開放時にアーム部が開口部の外側に突出され、蓋体の閉塞時にアーム部が開口部の内側に収納されるようにしたことを特徴とする。
【００１２】
従って、簡易な機構により蓋体の外筐に対する大きな開放角度を確保することができる。
【００１３】
請求項２に記載した発明にあっては、上記蓋体のアーム部を上記支点部として用いたので、別に支点部として機能する部分を設ける必要がなく、機構の簡素化及び部品点数の削減を図ることができる。
【００１４】
請求項３に記載した発明にあっては、蓋体の開放時にアーム部を開口部の外側へ突出させる方向へ揺動体を回動させる付勢バネを設けたので、揺動体を必要な方向へ確実に回動させることができ、動作の信頼性を確保することができる。
【００１５】
請求項４に記載した発明にあっては、開口部を閉塞する位置に蓋体を保持する閉塞状態保持手段を設けたので、蓋体を確実かつ容易に閉塞位置に保持することができる。
【００１６】
請求項５に記載した発明にあっては、蓋体の開放時に上記揺動体がパネルに対して回動されたときに、揺動体の回動を規制し該揺動体を蓋体に接触しない位置に保持するようにしたので、揺動体の必要以上の回動を容易かつ確実に規制することができる。
【００１７】
本発明電子機器は、少なくとも一つのパネルによって構成された外筐を有し該外筐に開口部が形成された電子機器であって、パネルに回動自在に支持された揺動体と、上記開口部を開閉し揺動体に互いに回動可能に連結された蓋体とを備え、上記揺動体は、パネルの内面側に位置されるベース部と、該ベース部から突出されパネルの内面側において該パネルに対する回動支点となる回動支点部と、ベース部から突出され蓋体に回動可能に連結された連結突部とを有し、上記蓋体は、開口部を開閉する蓋本体部と、該蓋本体部から突出され開口部の内外で出入りされるアーム部と、揺動体のパネルに対する回動時に開口部の開口縁に接触可能とされ該開口縁との接触時にパネルに対する回動支点として機能する支点部とを有し、上記開口部に対する蓋体の開閉時に、パネルに対する揺動体の回動方向と揺動体に対する蓋体の回動方向とが同じ方向とされ、蓋体の開放時にアーム部が開口部の外側に突出され、蓋体の閉塞時にアーム部が開口部の内側に収納されるようにしたことを特徴とする。
【００１８】
従って、簡易な機構により蓋体の外筐に対する大きな開放角度を確保することができる。
【発明を実施するための最良の形態】
【００１９】
以下に、本発明を実施するための最良の形態について図面を参照して説明する。以下に示した最良の形態は、本発明をプリンターに適用したものである。
【００２０】
尚、本発明の適用範囲はプリンターに限られることはなく、プリンター以外の各種の電子機器に適用することができる。
【００２１】
電子機器（プリンター）１は機器本体２を備え、該機器本体２は外筐２ａの内外に所要の各部が配置されて成る（図１参照）。
【００２２】
外筐２ａは、サイドパネル３、３、アッパーパネル４、フロントパネル５、図示しないリアパネル及び図示しないロアーパネルが互いに結合されて構成されている。
【００２３】
一方のサイドパネル３には、例えば、右方に開口された浅い挿入凹部６が形成され、該挿入凹部６の挿入口が開口部６ａとして形成されている（図２参照）。挿入凹部６は内底面部７と該内底面部７の周縁から右方へ突出された内側面部８とによって形成されている。
【００２４】
内底面部７には装着用孔７ａが形成されている。装着用孔７ａは外筐２ａの内部に配置された図示しない装着部に、例えば、図示しないインクリボンユニットを装着するための孔である。
【００２５】
内側面部８の後端部における右端部には、上下に離隔して挿通孔８ａ、８ａが形成されている（図２及び図３参照）。
【００２６】
挿入凹部６の内側開口縁には右方を向く段差面部６ｂが形成され、該段差面部６ｂに金属板９が取り付けられている（図２参照）。
【００２７】
一方のサイドパネル３の内面３ａには、図３に示すように、左方へ突出された支持突部１０、１０が設けられ（図３には１つの支持突部１０のみを示す。）、該支持突部１０、１０はそれぞれ挿通孔８ａ、８ａの後方に位置されている。サイドパネル３の内面３ａにおける支持突部１０、１０の直ぐ後側の位置には、それぞれバネ受け凹部１１、１１が形成されている。サイドパネル３のうち挿通孔８ａ、８ａ間の部分は左方へ突出され、この突出された部分がストッパー突部１２として設けられている。
【００２８】
サイドパネル３の支持突部１０、１０には揺動体１３が回動自在に支持されている（図３参照）。
【００２９】
揺動体１３は、図４に示すように、縦長の略矩形状に形成されたベース部１４と、該ベース部１４の上下両端部からそれぞれ略後方へ突出された回動支点部１５、１５と、ベース部１４の上下両端部からそれぞれ略前方側へ突出された連結突部１６、１６とが一体に形成されて成る。
【００３０】
ベース部１４の後端寄りの位置には、上下に離隔してそれぞれ略右方へ突出されたバネ支持突部１４ａ、１４ａが設けられている。ベース部１４の前端部には略右方へ突出された被ストッパー部１４ｂが設けられている。
【００３１】
回動支点部１５、１５の先端部には、それぞれ被支持軸部１５ａ、１５ａが設けられている。
【００３２】
連結突部１６、１６は略左方へ凸の半円弧状に形成され、先端部にそれぞれ支持軸１６ａ、１６ａが設けられている。
【００３３】
揺動体１３は、図３に示すように、回動支点部１５、１５の被支持軸部１５ａ、１５ａがそれぞれサイドパネル３の支持突部１０、１０に支持され、サイドパネル３に対して回動可能とされる。揺動体１３がサイドパネル３に支持された状態においては、ベース部１４がサイドパネル３の内面３ａ側に位置され、連結突部１６、１６がそれぞれ挿通孔８ａ、８ａから挿入凹部６側へ突出される。
【００３４】
揺動体１３がサイドパネル３に支持された状態において、揺動体１３のバネ支持突部１４ａ、１４ａにそれぞれ付勢バネ１７、１７が支持される。付勢バネ１７、１７は、例えば、圧縮コイルバネであり、それぞれサイドパネル３のバネ受け凹部１１、１１に受けられ、揺動体１３を図３に示すＲ１方向、即ち、連結突部１６、１６が挿入凹部６から右方へ突出される方向へ付勢する。
【００３５】
揺動体１３には蓋体１８が回動自在に支持されている（図２及び図３参照）。蓋体１８は、サイドパネル３の開口部６ａを開閉する蓋本体部１９と、該蓋本体部１９から突出され開口部６ａの内外で出入りされるアーム部２０、２０とが一体に形成されて成る。
【００３６】
蓋本体部１９は略平板状に形成され、一側縁の内面にマグネット２１が取り付けられている。
【００３７】
アーム部２０、２０は、蓋本体部１９のマグネット２１が取り付けられた側縁と反対側の側縁の上下両端部からそれぞれ同じ方向へ突出されている（図３及び図５参照）。アーム部２０、２０は、先端部が蓋本体部１９の外面側に屈曲されている。アーム部２０、２０にはそれぞれ被支持孔２０ａ、２０ａが形成されている。
【００３８】
蓋体１８はアーム部２０、２０の被支持孔２０ａ、２０ａに揺動体１３の連結突部１６、１６の支持軸１６ａ、１６ａがそれぞれ挿入されることにより、揺動体１３に回動自在に支持される。蓋体１８が揺動体１３に支持された状態においては、付勢バネ１７、１７によって揺動体１３が図３に示すＲ１方向へ付勢されているため、蓋体１８は付勢バネ１７、１７によってサイドパネル３から右方へ移動する方向へ付勢される。
【００３９】
以下に、蓋体１８の開閉動作について説明する（図６乃至図１０参照）。
【００４０】
蓋体１８によって開口部６ａが閉塞された状態においては、図６に示すように、蓋体１８に取り付けられたマグネット２１にサイドパネル３の段差面部６ｂに取り付けられた金属板９が吸着され、蓋体１８が付勢バネ１７、１７による付勢力に抗して開口部６ａを閉塞する閉塞位置に保持されている。従って、金属板９及びマグネット２１は蓋体１８を閉塞位置に保持する閉塞状態保持手段として機能する。
【００４１】
このように、電子機器１に閉塞状態保持手段を設けることにより、蓋体１８を確実かつ容易に閉塞位置に保持することができる。
【００４２】
蓋体１８が閉塞位置にあるときには、揺動体１３はサイドパネル３の内面３ａから最も離隔した位置に保持されている。このとき揺動体１３の被ストッパー部１４ｂとサイドパネル３のストッパー部１２とは接触していない状態とされている。
【００４３】
また、蓋体１８が閉塞位置にあるときには、蓋体１８のアーム部２０、２０が挿入孔８ａ、８ａを介してサイドパネル３の内面３ａ側に突出されている。
【００４４】
蓋体１８が開放され揺動体１３に対して図６に示すＲ１方向へ回動されていくと、同時に揺動体１３が付勢バネ１７、１７の付勢力によってサイドパネル３に対してＲ１方向へ回動され、揺動体１３の連結突部１６、１６が開口部６ａから外方（右方）へ突出されていく（図７参照）。このとき蓋体１８のアーム部２０、２０がそれぞれサイドパネル３の開口部６ａの開口縁に接し、蓋体１８は、この開口縁に接した部分を支点としてサイドパネル３に対して回動される。従って、蓋体１８のアーム部２０、２０はサイドパネル３に対する回動支点となる支点部２０Ａ、２０Ａとしても機能する。
【００４５】
アーム部２０、２０が支点部２０Ａ、２０Ａとして機能して蓋体１８が回動されるときには、この回動動作に伴って揺動体１３の連結突部１６、１６が開口部６ａからさらに外方へ突出されていく。
【００４６】
さらに蓋体１８が開放され揺動体１３に対して図７に示すＲ１方向へ回動されていくと、引き続き揺動体１３がサイドパネル３に対してＲ１方向へ回動され、揺動体１３の被ストッパー部１４ｂがサイドパネル３のストッパー突部１２に接触し、揺動体１３のこれ以上の回動が規制される（図８参照）。このとき蓋体１８はアーム部２０、２０が開口部６ａの開口縁から離隔される。
【００４７】
揺動体１３の被ストッパー部１４ｂがサイドパネル３のストッパー突部１２に接触して揺動体１３の回動が規制された状態においては、連結突部１６、１６の支持軸１６ａ、１６ａが開口部６ａから外方へ突出されている。従って、蓋体１８をサイドパネル３に接触させることなく揺動体１３に対してさらに開放する方向へ回動させることが可能である。
【００４８】
蓋体１８がさらに開放され揺動体１３に対して図８に示すＲ１方向へ回動されていくと、蓋体１８は、外面がサイドパネル３の外面３ｂに接する位置まで開放される（図９及び図１０参照）。蓋体１８の外面がサイドパネル３の外面３ｂに接したところで回動が規制され、蓋体１８はサイドパネル３に対して略１８０°回動された開放位置に至る。
【００４９】
逆に、開放位置から蓋体１８を図９に示すＲ２方向へ回動させると、閉塞位置から開放位置に至る動作と逆の動作により、蓋体１８が閉塞位置に至る。閉塞位置においては、上記したように、蓋体１８に取り付けられたマグネット２１にサイドパネル３の段差面部６ｂに取り付けられた金属板９が吸着され、蓋体１８が付勢バネ１７、１７による付勢力に抗して閉塞位置に保持される。
【００５０】
上記したように、電子機器１にあっては、一部が開口部６ａから外方へ突出可能な揺動体１３を介して蓋体１８をサイドパネル３に回動自在に支持するようにしているため、簡易な機構により蓋体１８の外筐２ａに対する大きな開放角度を確保することができ、開口部６ａを介しての外筐２ａの内部に配置された装着部に対するインクリボンユニットの装着作業及び取出作業における作業性の向上を図ることができる。
【００５１】
また、蓋体１８が閉塞位置にあるときには、揺動体１３は蓋体１８の内側及び外筐２ａの内部に収納されるため、揺動体１３が外方へ突出することがなく、電子機器１の小型化及びデザイン性の向上を図ることができる。
【００５２】
さらに、電子機器１にあっては、蓋体１８のアーム部２０、２０を開閉動作時における支点部２０Ａ、２０Ａとして機能させているため、別に支点部として機能する部分を設ける必要がなく、機構の簡素化及び部品点数の削減を図ることができる。
【００５３】
加えて、電子機器１にあっては、蓋体１８の開放動作時において揺動体１３を付勢バネ１７、１７の付勢力によってサイドパネル３に対して回動させているため、揺動体１３を必要な方向へ確実に回動させることができ、動作の信頼性を確保することができる。
【００５４】
尚、電子機器１においては、付勢バネ１７、１７を設けずに蓋体１８の大きな開放角度を確保することもできる。付勢バネ１７、１７を設けない場合には、蓋体１８を右方側へ引くようにして開放させ、また、左方側へ押すようにして閉塞することにより揺動体１３をサイドパネル３に対して必要な方向へ回動させることができる。
【００５５】
また、電子機器１にあっては、揺動体１３にサイドパネル３のストッパー突部１２と接する被ストッパー部１４ｂを設けて回動を規制しているため、揺動体１３の必要以上の回動を容易かつ確実に規制することができる。
【００５６】
外筐２ａを構成するアッパーパネル４には上方に開口されたパネル収納凹部２２が形成されている（図１１及び図１２参照）。パネル収納凹部２２は底板部２３と該底板部２３の周縁から上方へ突出された側板部２４とから形成されている。
【００５７】
底板部２３の外周部を除く部分には上方に開口された凹状を為す保持部２５が形成されている。保持部２５の前後両端部は、それぞれ前側凹部２５ａ、後側凹部２５ｂとして形成され、その間の部分が平面状を為す第１の面部２５ｃとして形成されている。第１の面部２５ｃには前後に離隔し左右に延びる浅い保持溝２６、２６、・・・が形成されている。
【００５８】
底板部２３の左右両端寄りの位置には庇壁２７、２７が設けられ、該庇壁２７、２７は第１の面部２５ｃの左右両端部の上方に位置されている。従って、保持部２５には庇壁２７、２７の下側に前後に延び前後及び互いに向き合う方向に開口された２つの溝が形成され、この溝が案内部２８、２８とされる。庇壁２７、２７の上面は、それぞれ保持部２５の第１の面部２５ｃより高い位置にある第２の面部２７ａ、２７ａとされる。第２の面部２７ａ、２７ａは平滑面に形成されている。
【００５９】
パネル収納凹部２２には、その前端部を支点として表示パネル２９が回動自在に支持されている（図１、図１１及び図１２参照）。表示パネル２９は表示筐体３０に液晶パネル等の表示パネル３１が配置されて成る。表示筐体３０の背面の略中央部には、上下に離隔してそれぞれ突状を為すストッパーリブ３０ａと付勢力付与部３０ｂが設けられている。表示筐体３０の背面にはストッパーリブ３０ａと付勢力付与部３０ｂの左右の位置に、それぞれ支持部３０ｃ、３０ｃが設けられている。
【００６０】
表示パネル２９の支持部３０ｃ、３０ｃにはスタンド３２が回動自在に支持されている。スタンド３２は樹脂材料等の弾性を有する材料によって矩形の略平板状に形成され、左右方向における幅が底板部２３に設けられた庇壁２７、２７間の間隔より稍小さくされている。スタンド３２には、左右両側面の一端部３２ａに外方へ突出された被支持ピン３３、３３が設けられ、左右両側面の他端部３２ｂに外方へ突出された摺動係合部３４、３４が設けられている。
【００６１】
スタンド３２は被支持ピン３３、３３がそれぞれ支持部３０ｃ、３０ｃに支持され、表示パネル２９に対して回動可能とされる。スタンド３２は一端部３２ａがストッパーリブ３０ａと付勢力付与部３０ｂの間に挿入された状態で表示パネル２９に支持される。
【００６２】
以下に、表示パネル２９の回動動作について説明する（図１３乃至図１７参照）。
【００６３】
表示パネル２９がパネル収納凹部２２に収納された閉じ位置にあるときには、図１３に示すように、スタンド３２は表示パネル２９の背面に沿って近接した状態で位置され、摺動係合部３４、３４が保持部２５の後側凹部２５ｂに位置されている。スタンド３２のこの位置は係合準備位置とされる。
【００６４】
表示パネル２９が閉じ位置から回動されていくと、スタンド３２の摺動係合部３４、３４が後側凹部２５ｂから案内部２８、２８に挿入され、他端部３２ｂが保持部２５の第１の面部２５ｃ上を移動されていく。このとき任意の位置で表示パネル２９の回動を停止させると、スタンド３２の他端部３２ｂが保持部２５に形成された何れかの保持溝２６に係合され、表示パネル２９を所望の角度で保持することができる。
【００６５】
表示パネル２９がさらに回動されていくと、スタンド３２の摺動係合部３４、３４がそれぞれ庇壁２７、２７の前端部に達し、スタンド３２の一端部３２ａが付勢力付与部３０ｂに接する（図１５参照）。この状態から僅かに表示パネル２９を開く方向へ回動させようとすると、摺動係合部３４、３４がそれぞれ庇壁２７、２７の前端縁に係合され、付勢力付与部３０ｂを基準としてスタンド３２が僅かに撓んで弾性変形される。従って、スタンド３２には摺動係合部３４、３４が案内部２８、２８から離隔する方向（上方）への付勢力が付与される。
【００６６】
スタンド３２が弾性変形された状態から表示パネル２９がさらに開く方向へ回動されると、摺動係合部３４、３４の庇壁２７、２７に対する係合が解除され、スタンド３２が弾性復帰して跳ね上がる。従って、表示パネル２９はアッパーパネル４に対して最大の開き角度となる開き位置に至り、スタンド３２は他端部３２ｂが庇壁２７、２７の上方に位置されて係合解除位置に至る（図１６参照）。
【００６７】
開き位置から表示パネル２９が上記とは反対方向へ閉じ位置へ向けて回動されると、スタンド３２の摺動係合部３４、３４がそれぞれ庇壁２７、２７と接し（図１７参照）、摺動係合部３４、３４がそれぞれ庇壁２７、２７の第２の面部２７ａ、２７ａ上を摺動されて表示パネル２９が閉じ位置に戻り、スタンド３２が係合準備位置に戻る。
【００６８】
表示パネル２９が閉じ位置に戻った状態においては、スタンド３２の摺動係合部３４、３４が保持部２５の後側凹部２５ｂに位置される（図１３参照）。
【００６９】
上記のように、電子機器１にあっては、表示パネル２９が閉じ位置から開き位置まで回動されたときに、スタンド３２が係合準備位置から係合解除位置まで移動され、表示パネル２９が開き位置から閉じ位置まで回動されたときに、スタンド３２が係合解除位置から係合準備位置まで移動される。
【００７０】
従って、表示パネル２９を閉じようとするときに、スタンド３２を手動により表示パネル２９に対して閉じる方向へ回動した後に表示パネル２９を閉じ位置へ向けて回動するという２段階の動作を必要としないため、使い勝手の向上を図ることができる。
【００７１】
また、表示パネル２９には、スタンド３２が係合解除位置に達するときに該スタンド３２に付勢力を付与する付勢力付与部３０ｂが設けられているため、スタンド３２が案内部２８、２８から上方へ確実に離隔され、表示パネル２９の開閉動作の信頼性の向上を図ることができる。
【００７２】
さらに、スタンド３２を樹脂材料によって形成し該スタンド３２を弾性変形させることにより付勢力を付与するようにしているため、簡単な構成によりスタンド３２を確実に案内部２８、２８から上方へ離隔させることができる。
【００７３】
さらにまた、電子機器１にあっては、スタンド３２の他端部３２ｂを保持部２５の何れかの保持溝２６、２６、・・・に係合させることにより、表示パネル２９をガタツキのない状態で所望の角度で保持することができる。
【００７４】
加えて、第２の面部２７ａ、２７ａが平滑面に形成されているため、スタンド３２の係合解除位置から係合準備位置への移動を円滑に行うことができる。
【００７５】
アッパーパネル４の前端部４ａは前後方向を向くように屈曲され、該前端部４ａに、例えば、５つの挿入口３５、３６、３７、３８、３９が形成されている（図１参照）。
【００７６】
前端部４ａの内側には上下に離隔して回路基板４０が配置され、該回路基板４０は基板取付用板金４１に取り付けられている（図１８参照）。回路基板４０の上下両面には合計５つの装着スロット４２、４３、４４、４５、４６が配置されている。装着スロット４２、４３、４４、４５、４６は、それぞれ挿入口３５、３６、３７、３８、３９の直ぐ後側に位置されている。
【００７７】
装着スロット４２、４３、４４、４５、４６には、それぞれ異なる形状及び異なる種類の記憶媒体が挿入されて装着される。
【００７８】
装着スロット４２、４３、４４、４５、４６には、それぞれ異なる形状及び異なる種類の記憶媒体が挿入されて装着されるが、装着された記憶媒体を同時にアクセスすると、記憶媒体の種類によっては電気的な弊害や性能の低下を引き起こすおそれがある。
【００７９】
そこで、電子機器１にあっては、以下のような２つの装着スロット、例えば、装着スロット４３、４４への記憶媒体１００、２００の同時の挿入を防止する挿入防止機構が設けられている。
【００８０】
挿入防止機構は外筐２ａの内部に配置されたシャーシ４７に設けられている（図１８参照）。シャーシ４７は上下方向を向く主面部４８と該主面部４８の前縁から立ち上げられた前面部４９とを有している。前面部４９には左右に離隔して外方へ凸の円弧状を為す支持孔４９ａ、４９ａが形成され、該支持孔４９ａ、４９ａ間に支点孔４９ｂが形成されている。
【００８１】
前面部４９には挿入規制体５０が回動自在に支持される。挿入規制体５０は、左右に長い被支持面部５１と、該被支持面部５１の左右両端部からそれぞれ後方へ突出された被支持突部５２、５２と、被支持面部５１の左右方向における中央部から前斜め下方へ突出された連設部５３と、該連設部５３の下縁から下方へ突出された突設部５４と、該突設部５４から左方又は右方へ突出された第１の作用部５５、第２の作用部５６とが一体に形成されて成る。
【００８２】
被支持面部５１の左右方向における中央部には後方へ突出された支点軸部５１ａが設けられている。
【００８３】
被支持突部５２、５２は外方へ凸の緩やかな円弧状に形成され、後端部にはそれぞれ外方へ突出された係合爪５２ａ、５２ａが設けられている。
【００８４】
第１の作用部５５は突設部５４の下端部から左方へ突出され、第２の作用部５６は突設部５４の上端部から右方へ突出されている。第１の作用部５５の左端部には左方へ行くに従って後方へ変位する傾斜面５５ａが形成され、第２の作用部５６には右方へ行くに従って後方へ変位する傾斜面５６ａが形成されている。
【００８５】
挿入規制体５０は支点軸部５１ａがシャーシ４７の支点孔４９ｂに挿入され、被支持突部５２、５２がそれぞれ支持孔４９ａ、４９ａに挿入されて該支持孔４９ａ、４９ａの開口縁に係合爪５２ａ、５２ａが係合されることにより、支点軸部５１ａを支点として前面部４９に回動自在に支持される。挿入規制体５０が前面部４９に支持された状態においては、突設部５４が回路基板４０の直ぐ前側に位置される。
【００８６】
以下に、装着スロット４３、４４に対する記憶媒体１００、２００の装着時における挿入規制体５０の動作について説明する（図１９乃至図２１参照）。
【００８７】
挿入規制体５０は、装着スロット４３、４４の何れにも記憶媒体１００、２００が挿入されていない状態において、自重により中立位置に保持される（図１９参照）。中立位置は被支持面部５１が水平方向に延び連設部５３及び突設部５４が垂直方向に延びる状態となる位置である。挿入規制体５０は、中立位置において、第１の作用部５５の左端部が装着スロット４３の右端部の前側に位置され、第２の作用部５６の右端部が装着スロット４４の左端部の前側に位置される。
【００８８】
記憶媒体１００が挿入口３６を介して装着スロット４３に挿入されていくと、記憶媒体１００の右端部の前縁が第１の作用部５５の傾斜面５５ａと摺接し、挿入規制体５０が反時計回り方向（図１９に示すＳ１方向）へ回動される（図２０参照）。従って、装着スロット４４に対する第２の作用部５６による遮蔽量が大きくされる。
【００８９】
記憶媒体１００が装着スロット４３に挿入されて装着されると、記憶媒体１００の右側面に第１の作用部５５の左側縁が接した状態とされ、挿入規制体５０の時計回り方向（図２０に示すＳ２方向）への回動が規制され、装着スロット４４に対する第２の作用部５６による遮蔽量が大きくされた状態が保持される。従って、第２の作用部５６は装着スロット４４の一部を遮蔽する遮蔽部５６Ａとしても機能し、記憶媒体２００を挿入口３７を介して装着スロット４４から挿入しようとしても、記憶媒体２００の左端部が第２の作用部５６の前面に接触され、装着スロット４４への挿入が規制される。
【００９０】
このとき記憶媒体２００によって第２の作用部５６の前面が押圧されても、第２の作用部５６が回路基板４０の前縁に接するため、第２の作用部５６の過度の変形が防止される。
【００９１】
記憶媒体１００が装着スロット４３から引き抜かれると、記憶媒体１００による挿入規制体５０のＳ２方向への回動に対する規制が解除され、挿入規制体５０が自重により中立位置に戻る（図１９参照）。
【００９２】
一方、記憶媒体２００が挿入口３７を介して装着スロット４４に挿入されていくと、記憶媒体２００の左端部の前縁が第２の作用部５６の傾斜面５６ａと摺接し、挿入規制体５０がＳ２方向へ回動される（図２１参照）。従って、装着スロット４５に対する第１の作用部５５による遮蔽量が大きくされる。
【００９３】
記憶媒体２００が装着スロット４４に挿入されて装着されると、記憶媒体２００の左側面に第２の作用部５６の右側縁が接した状態とされ、挿入規制体５０のＳ１方向への回動が規制され、装着スロット４３に対する第１の作用部５５による遮蔽量が大きくされた状態が保持される。従って、第１の作用部５５は装着スロット４３の一部を遮蔽する遮蔽部５５Ａとしても機能し、記憶媒体１００を挿入口３６を介して装着スロット４３から挿入しようとしても、記憶媒体１００の右端部が第１の作用部５５の前面に接触され、装着スロット４３への挿入が規制される。
【００９４】
このとき記憶媒体１００によって第１の作用部５５の前面が押圧されても、第１の作用部５５が回路基板４０の前縁に接するため、第１の作用部５５の過度の変形が防止される。
【００９５】
記憶媒体２００が装着スロット４４から引き抜かれると、記憶媒体２００による挿入規制体５０のＳ１方向への回動に対する規制が解除され、挿入規制体５０が自重により中立位置に戻る（図１９参照）。
【００９６】
上記したように、電子機器１にあっては、回動可能な挿入規制体５０によって記憶媒体１００の装着スロット４３又は記憶媒体２００の装着スロット４４への挿入が選択的に防止されるため、簡易な機構により電子機器１の大型化を来たすことなく２つの装着スロット４３、４４への記憶媒体１００、２００の同時の挿入を防止することができる。
【００９７】
また、何れの装着スロット４３、４４に対しても記憶媒体１００、２００が挿入されないときには、挿入規制体５０を自重により中立位置に保持するようにしているため、挿入規制体５０を自重により中立位置に保持するための機構を必要とせず、機構の簡素化を図ることができる。
【００９８】
さらに、挿入規制体５０は、第１の作用部５５と第２の作用部５６がそれぞれ装着スロット４３、４４の一部を遮蔽する遮蔽部５５Ａ、５６Ａとしても機能するため、別に遮蔽部を設ける必要がなく、機構の簡素化及び品点数の削減を図ることができる。
【００９９】
尚、上記には、挿入規制体５０を自重により中立位置に保持する例を示したが、例えば、シャーシ４７と挿入規制体５０をバネによって連結し、記憶媒体１００、２００が装着スロット４３、４４に挿入されないときには挿入規制体５０を中立位置に保持させるようにすることも可能である。
【０１００】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０１】
【図１】図２乃至図２１と共に本発明の最良の形態を示すものであり、本図は、電子機器の斜視図である。
【図２】蓋体が開放された状態で示す電子機器の斜視図である。
【図３】サイドパネルに揺動体が支持され該揺動体に蓋体が支持された状態を示す拡大断面図である。
【図４】揺動体の拡大斜視図である。
【図５】蓋体が開放された状態で電子機器を示す拡大斜視図である。
【図６】図７乃至図９と共に蓋体の開閉動作を示すものであり、本図は、蓋体が閉塞位置にある状態を示す拡大断面図である。
【図７】蓋体が閉塞位置から開放位置へ向けて開放されている状態を示す拡大断面図である。
【図８】蓋体が閉塞位置から開放位置へ向けてさらに開放されている状態を示す拡大断面図である。
【図９】蓋体が開放位置まで開放された状態を示す拡大断面図である。
【図１０】蓋体が開放位置にある状態で電子機器を示す拡大斜視図である。
【図１１】表示パネルが回動されて保持された状態を示す拡大斜視図である。
【図１２】表示パネルからスタンドを分離して示す拡大斜視図である。
【図１３】図１４乃至図１７と共に表示パネルの回動動作を示すものであり、本図は、表示パネルが閉じ位置にある状態を一部を断面にして示す拡大側面図である。
【図１４】表示パネルが閉じ位置から開き位置へ向けて回動され、表示パネルが保持された状態を一部を断面にして示す拡大側面図である。
【図１５】表示パネルが閉じ位置から開き位置へ向けてさらに回動されている状態を一部を断面にして示す拡大側面図である。
【図１６】表示パネルが開き位置まで回動された状態を一部を断面にして示す拡大側面図である。
【図１７】表示パネルが開き位置から閉じ位置へ向けて回動されている状態を一部を断面にして示す拡大側面図である。
【図１８】挿入規制体をシャーシから分離して示す拡大斜視図である。
【図１９】図２０及び図２１と共に挿入規制体の動作を示すものであり、本図は、何れの装着スロットにも記憶媒体が挿入されていない状態を示す拡大正面図である。
【図２０】一方の装着スロットに記憶媒体が装着された状態を示す拡大正面図である。
【図２１】他方の装着スロットに記憶媒体が装着された状態を示す拡大正面図である。
【符号の説明】
【０１０２】
１…電子機器、２ａ…外筐、３…サイドパネル、６ａ…開口部、９…金属板（閉塞状態保持手段）、１３…揺動体、１４…ベース部、１５…回動支点部、１６…連結突部、１７…付勢バネ、１８…蓋体、１９…蓋本体部、２０…アーム部、２０Ａ…支点部、２１…マグネット（閉塞状態保持手段）
【図１】
0004626813.tif 000002
【図２】
0004626813.tif 000003
【図３】
0004626813.tif 000004
【図４】
0004626813.tif 000005
【図５】
0004626813.tif 000006
【図６】
0004626813.tif 000007
【図７】
0004626813.tif 000008
【図８】
0004626813.tif 000009
【図９】
0004626813.tif 000010
【図１０】
0004626813.tif 000011
【図１１】
0004626813.tif 000012
【図１２】
0004626813.tif 000013
【図１３】
0004626813.tif 000014
【図１４】
0004626813.tif 000015
【図１５】
0004626813.tif 000016
【図１６】
0004626813.tif 000017
【図１７】
0004626813.tif 000018
【図１８】
0004626813.tif 000019
【図１９】
0004626813.tif 000020
【図２０】
0004626813.tif 000021
【図２１】
0004626813.tif 000022